(57)【要約】【課題】夜間においても一目瞭然に燃料の種類が理解できて、確実に燃料の誤給油を防止すること。【解決手段】ポリエスステル系の軟質性の合成樹脂層１１の表面上に、所定の波長の光線に反応して可視範囲の蛍光を発する蛍光インキをスクリーン印刷して燃料油種に対応した蛍光文字１２を形成する。この場合、地色を形成する前記合成樹脂層１１を、レギュラーガソリンであれば赤色、ハイオクガソリンであれば黄色、軽油であれば緑色とし、蛍光文字を形成する蛍光インキを青色とするが、表示ラベル１０の地色と異なる色彩であればよい。そして、燃料油種に対応した表示ラベル１０を接着剤層１３を介して給油口キャップ２の操作摘み２Ａの表面や、給油口リッド６の裏面に接着固定する。【選択図】図１
2015129888.tif 000002
【特許請求の範囲】
【請求項１】
燃料が給油ノズルを介して給油される燃料タンクの燃料給油口を開閉する給油口キャップとこの給油口キャップを収納する空間を覆うべく車体側に開閉自在に設けた給油口リッド裏面との少なくともいずれか一方に接着固定される燃料の誤給油を防止するための表示ラベルであって、
前記燃料の種類に対応した色彩が付されている前記給油ノズルの前記色彩と同一の地色であって、この地色とは異なる色彩の前記燃料の種類を意味する文字を蛍光材又は蓄光材で作製して表示したことを特徴とする燃料の誤給油を防止するための表示ラベル。
【請求項２】
燃料が給油ノズルを介して給油される燃料タンクとこの燃料タンクの燃料給油口を開閉する給油口キャップとの少なくともいずれか一方に接着固定される燃料の誤給油を防止するための表示ラベルであって、
前記燃料の種類に対応した色彩が付されている前記給油ノズルの前記色彩と同一の地色であって、この地色とは異なる色彩の前記燃料の種類を意味する文字を蛍光材又は蓄光材で作製して表示したことを特徴とする燃料の誤給油を防止するための表示ラベル。
【発明の詳細な説明】
【技術分野】
【０００１】
本発明は、燃料が給油ノズルを介して給油される燃料タンクの燃料給油口を開閉する給油口キャップとこの給油口キャップを収納する空間を覆うべく車体側に開閉自在に設けた給油口リッド裏面との少なくともいずれか一方に接着固定される燃料の誤給油を防止するための表示ラベルや、燃料が給油ノズルを介して給油される燃料タンクとこの燃料タンクの燃料給油口を開閉する給油口キャップとの少なくともいずれか一方に接着固定される燃料の誤給油を防止するための表示ラベルに関する。
【背景技術】
【０００２】
燃料タンクへの燃料の種類の間違いが起こるために、燃料の誤給油を防止する技術が提案されている（例えば、特許文献１参照）
【先行技術文献】
【特許文献】
【０００３】
【特許文献１】実用新案登録第３０６１０９９号公報
【発明の概要】
【発明が解決しようとする課題】
【０００４】
しかしながら、昼間はまだしも、夜間においては燃料の種類を示す文字が読みずらく、また昼間においても前記文字は読めても一目瞭然に燃料の種類を誤ることが生じて、依然として燃料の誤給油を防止できない事態が発生するおそれがある。
【０００５】
そこで本発明は、上記問題点に鑑み、夜間においても一目瞭然に燃料の種類が理解できて、確実に燃料の誤給油を防止することを目的とする。
【課題を解決するための手段】
【０００６】
このため第１の発明は、燃料が給油ノズルを介して給油される燃料タンクの燃料給油口を開閉する給油口キャップとこの給油口キャップを収納する空間を覆うべく車体側に開閉自在に設けた給油口リッド裏面との少なくともいずれか一方に接着固定される燃料の誤給油を防止するための表示ラベルであって、
前記燃料の種類に対応した色彩が付されている前記給油ノズルの前記色彩と同一の地色であって、この地色とは異なる色彩の前記燃料の種類を意味する文字を蛍光材又は蓄光材で作製して表示したことを特徴とする。
【０００７】
また第２の発明は、燃料が給油ノズルを介して給油される燃料タンクとこの燃料タンクの燃料給油口を開閉する給油口キャップとの少なくともいずれか一方に接着固定される燃料の誤給油を防止するための表示ラベルであって、
前記燃料の種類に対応した色彩が付されている前記給油ノズルの前記色彩と同一の地色であって、この地色とは異なる色彩の前記燃料の種類を意味する文字を蛍光材又は蓄光材で作製して表示したことを特徴とする。
【発明の効果】
【０００８】
本発明は、夜間においても一目瞭然に燃料の種類が理解できて、確実に燃料の誤給油を防止することができる。
【図面の簡単な説明】
【０００９】
【図１】給油口リッドが開いた状態の車両用給油口装置の斜視図である。
【図２】表示ラベルの第１の実施形態を示す縦断面図である。
【図３】表示ラベルの第２の実施形態を示す縦断面図である。
【発明を実施するための形態】
【００１０】
以下、本発明の実施形態について、図１及び図２に基づいて説明する。先ず、自動車等の車両用給油口装置１は、図１に示すように、大別して、燃料が給油ノズルを介して給油される燃料タンクから延出する給油パイプの先端に取付けられ先端に燃料給油口を備えた給油口金具と、この給油口金具に着脱可能で前記燃料給油口を開閉する給油口キャップ２と、この給油口キャップ２が落下しないようにするひも状の連結部材４と、前記連結部材４、給油口キャップ２及び前記給油口金具を収納させるための空間を覆うべく前記自動車等の車体３にヒンジ５を介して開閉自在な給油口リッド６とを備えている。
【００１１】
なお、前記連結部材４の一端は前記給油口キャップ２に連結すると共に、他端を給油口リッド６裏面に固定された取付板６Ａに固定するが、この固定構造に限らず、前記連結部材４の他端を前記車体３に固定された部材や前記給油口リッド６に固定された部材に固定するようにしてもよく、種々の固定構造があり、また必ずしも前記連結部材４がない構造の車両用給油口装置１でもよい。
【００１２】
次に、前記給油口キャップ２の、例えば操作摘み２Ａの表面や、前記給油口リッド６の裏面に接着固定される誤給油を防止するための表示ラベル１０の第１の実施形態について説明する。この場合、前記給油口キャップ２の操作摘み２Ａの表面に限らず、前記操作摘み２Ａ以外の前記給油口キャップ２の表面でもよい。また、給油したい燃料油種は、レギュラーガソリン、ハイオクガソリン、軽油があるが、この燃料油種に対応して、ガソリンスタンド（給油所）における前記給油ノズルに付される色彩は異なる。
【００１３】
即ち、前記給油ノズルに付される色彩は、レギュラーガソリンは赤色、ハイオクガソリンは黄色、軽油は緑色となっているのが、一般的である。このため、前記表示ラベル１０の地色も、前記燃料油種に対応した前記給油ノズルに付された色彩と同じ色彩とし、例えばレギュラーガソリンは赤色、ハイオクガソリンは黄色、軽油は緑色とする。但し、前記ガソリンスタンドによっては、以上の色彩とは異なる場合があり、その場合には前記表示ラベル１０の地色はそのガソリンスタンドにおける前記燃料油種に対応した前記給油ノズルに付された色彩と同じ色彩とする。そして、この表示ラベル１０に付される燃料油種に応じた文字は、例えば、青色とするが、この色彩に限られず、前記表示ラベル１０の地色と異なる色彩であればよい。
【００１４】
先ず、第１の実施形態の平面視四角形状の前記表示ラベル１０の縦断面図を示す図２において、ポリエスステル系の軟質性の合成樹脂層１１の表面上に、所定の波長の光線に反応して可視範囲の蛍光を発する蛍光材としての蛍光インキ（例えば、紫外線を吸収し長波長の光に変えて反射して、鮮明な色彩効果を発揮するインキ）をスクリーン印刷して前述したような前記燃料油種に対応した蛍光文字１２、即ち前記燃料油種のレギュラーガソリンを意味する「レギュラー」、同じくハイオクガソリンを意味する「ハイオク」、同じ軽油を意味する「軽油」という蛍光文字１２を形成する。この場合、地色（下地の色彩）を形成する前記合成樹脂層１１を、前述したように、レギュラーガソリンであれば赤色、ハイオクガソリンであれば黄色、軽油であれば緑色とし、蛍光文字を形成する前記蛍光インキを青色とするが、前記表示ラベル１０の地色と異なる色彩であればよい。１３は接着剤層で、前記表示ラベル１０の裏面に形成される。
【００１５】
なお、前記燃料油種を意味する日本語の「レギュラー」、「ハイオク」、「軽油」という日本語の蛍光文字１２に代えて、英語その他の外国語の蛍光文字でもよい。
【００１６】
このように、前記表示ラベル１０を前記燃料油種に対応して、３種類作製し、前述したように、前記燃料油種に対応した前記表示ラベル１０を前記接着剤層１３を介して前記給油口キャップ２の操作摘み２Ａの表面や、前記給油口リッド６の裏面に接着固定する。
【００１７】
このように、使用者が給油する際に、前記給油口リッド６を開いて、前述したように接着固定された前記表示ラベル１０を見ることにより、前記燃料油種を間違えて給油することが確実に防止される。具体的には、前記表示ラベルの地色を見て且つ前記燃料油種に対応した文字を見て、この前記燃料油種に対応した色彩の給油ノズルを選ぶことができるので、前記燃料油種を間違えて給油することが確実に防止される。しかも、夜間においても、光が当たることにより蛍光文字が蛍光するので、一目瞭然に燃料の種類が理解できて、前記燃料油種を間違えて給油することがより確実に防止される。
【００１８】
次に、平面視四角形状の前記表示ラベル１０の第２の実施形態を示す縦断面図を示す図３において、ポリエスステル系の軟質性の合成樹脂層２１の表面上に、所定の波長の光線に反応して可視範囲の蛍光を発する蛍光インキ層（例えば、紫外線を吸収し長波長の光に変えて反射して、鮮明な色彩効果を発揮するインキ層。）２２を、更にスクリーン印刷により前記表示ラベル１０の地色（下地の色彩）を構成する普通のインキ層２３を積層する。この場合、前述した普通のインキ層２３に空白２４を形成することにより白抜き文字を形成する。言い換えると、白抜き文字を形成するように、空白２４を残しつつ前記蛍光インキ層２２の上に普通のインキ層２３を積層する。そして、前記表示ラベル１０の裏面には、接着剤層２５を形成する。
【００１９】
なお、前述した普通のインキ層２３は、蛍光インキや蓄光インキ等の特殊インキ以外のものである。
【００２０】
従って、前記空白２４を介して前記燃料油種に対応した蛍光文字、即ち前記燃料油種のレギュラーガソリンを意味する「レギュラー」、同じくハイオクガソリンを意味する「ハイオク」、同じ軽油を意味する「軽油」という蛍光文字を視認することとなる。この場合、前記合成樹脂層２１を透明として、前記蛍光インキ層２２を青色とし、前記表示ラベル１０の地色が前記給油ノズルに付された色彩と同色となるように、前記燃料油種に対応して、前述した普通のインキ層２３をレギュラーガソリンであれば赤色、ハイオクガソリンであれば黄色、軽油であれば緑色とする。
【００２１】
このように、前記表示ラベル１０を前記燃料油種に対応して、３種類作製し、前述したように、前記燃料油種に対応した前記表示ラベル１０を前記接着剤層２５を介して前記給油口キャップ２の、例えば前記操作摘み２Ａの表面や、前記給油口リッド６の裏面に接着固定する。なお、前記給油口キャップ２の前記操作摘み２Ａの表面に限らず、前記操作摘み２Ａ以外の前記給油口キャップ２の表面でもよい。
【００２２】
このように、使用者が給油する際に、前記給油口リッド６を開いて、前述したように接着固定された前記表示ラベル１０を見ることにより、前記燃料油種を間違えて給油することが確実に防止される。具体的には、前記表示ラベル１０の地色（下地の色彩）を見て且つ前記燃料油種に対応した文字を見て、この前記燃料油種に対応した色彩の前記給油ノズルを選ぶことができるので、前記燃料油種を間違えて給油することが確実に防止される。しかも、夜間においても、この蛍光文字が蛍光するので、一目瞭然に前記燃料の種類が理解できて、前記燃料油種を間違えて給油することがより確実に防止される。
【００２３】
なお、前記表示ラベル１０は、前述した第１及び第２の実施形態に限られず、種々の形態がある。また、表示ラベルに表示される文字は、蛍光材としての蛍光インキにより形成（作製）するものに限らず、太陽・電燈などの光線を吸収し、蓄積後に、徐々に放出させて発光する性質を持った顔料を含有する蓄光材としての蓄光インキで形成し（作製）てもよく、蛍光インキや蓄光インキに代えて、蛍光塗料、蓄光塗料などで作製してもよい。
【００２４】
また、以上の第１及び第２の実施形態では、前記表示ラベル１０を前記給油口キャップ２の表面と、給油口リッド６裏面の両方に固定したが、これに限らず、前記給油口キャップ２の表面と、給油口リッド６裏面との少なくともいずれか一方に固定してもよい。更には、前記給油口リッドが無く、前記燃料タンクが外部に露出しているトラック（貨物自動車）、発電機等にあっては、以上の第１及び第２の実施形態の前記表示ラベル１０を前記給油口キャップ２の表面と、前記燃料タンクの表面の両方に固定したり、少なくともいずれか一方に固定してもよい。
【００２５】
また、以上の第１及び第２の実施形態の前記表示ラベル１０は平面形状を四角形状としたが、これに限らず、燃料油種に対応して、異なる形状としてもよい。例えば、記燃料油種がレギュラーガソリンであれば平面視四角形状、同じくハイオクガソリンであれば三角形状、同じ軽油であれば円形状とするような、燃料油種に対応して異なる形状にしてもよい。
【００２６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２７】
１          車両用給油口装置
２          給油口キャップ
３          車体
６          給油口リッド
１０        表示ラベル
１１        合成樹脂層
１２        蛍光文字
１３        接着剤層
２１        合成樹脂層
２２        蛍光インキ層
２３        インキ層
２４        空白
２５        接着剤層
【図１】
2015129888.tif 000003
【図２】
2015129888.tif 000004
【図３】
2015129888.tif 000005